(57)【特許請求の範囲】
【請求項１】
電気化学バイオセンサーで使用するための酸化還元試薬組成物であって、酸化還元酵素および電子伝達メディエーターを含み、電子伝達メディエーターが金属含有錯体およびチオニンまたはその誘導体を含み、
該金属含有錯体がルテニウム錯体であり、
該チオニン誘導体が３−アミノ−７−（２，３，４，５，６−ペンタヒドロキシヘキサンアミド）−５−フェノチアジニウムである、組成物。
【請求項２】
酸化還元酵素が、フラビンアデニンジヌクレオチド−グルコースデヒドロゲナーゼ、ニコチンアミドアデニンジヌクレオチド−グルコースデヒドロゲナーゼ、グルコースデヒドロゲナーゼ、グルタミン酸デヒドロゲナーゼ、グルコースオキシダーゼ、コレステロールオキシダーゼ、コレステロールエステラーゼ、乳酸オキシダーゼ、アスコルビン酸オキシダーゼ、アルコールオキシダーゼ、アルコールデヒドロゲナーゼおよびビリルビンオキシダーゼからなる群から選択される１種である、請求項１に記載の組成物。
【請求項３】
ルテニウム錯体が、Ｒｕ（ＮＨ３）６Ｃｌ３、［Ｒｕ（２，２’，２’’−ターピリジン）（１，１０−フェナントロリン）（ＯＨ２）］２＋、ｔｒａｎｓ−［Ｒｕ（２，２’−ビピリジン）２（ＯＨ２）（ＯＨ）］２＋、［（２，２’−ビピリジン）２（ＯＨ）ＲｕＯＲｕ（ＯＨ）（２，２’ｂｐｙ）２］４＋および［Ｒｕ（４，４’−ビピリジン）（ＮＨ３）５］２＋からなる群から選択される１種である、請求項１または２に記載の組成物。
【請求項４】
酸化還元試薬組成物が、界面活性剤、水溶性高分子、第４級アンモニウム塩、脂肪酸および増粘剤からなる群から選択される１種または複数の添加剤を追加的に含む、請求項１〜３のいずれか１項に記載の組成物。
【請求項５】
界面活性剤が、Ｔｒｉｔｏｎ Ｘ−１００、ドデシル硫酸ナトリウム、ペルフルオロオクタンスルホン酸およびステアリン酸ナトリウムからなる群から選択される１種である、請求項４に記載の組成物。
【請求項６】
水溶性高分子が、ポリビニルピロリドン、ポリビニルアルコール、ポリフルオロスルホン酸、ヒドロキシエチルセルロース、ヒドロキシプロピルセルロース、カルボキシメチルセルロース、酢酸セルロースおよびポリアミドからなる群から選択される１種または複数である、請求項４または５に記載の組成物。
【請求項７】
第４級アンモニウム塩が、ドデシルトリメチルアンモニウム、エチルトリメチルアンモニウム、ミリスチルトリメチルアンモニウム、セチルトリメチルアンモニウム、オクタデシルトリメチルアンモニウム、およびテトラヘキシルアンモニウムからなる群から選択される１種または複数である、請求項４〜６のいずれか１項に記載の組成物。
【請求項８】
脂肪酸が、カプロン酸、ヘプタン酸、カプリル酸、オクタン酸、ノナン酸、カプリン酸、ウンデカン酸、ラウリン酸、トリデカン酸、ミリスチン酸、ペンタデカン酸、パルミチン酸、ヘプタデカン酸、ステアリン酸、ノナデカン酸およびアラキドン酸からなる群から選択される１種または複数である、請求項４〜７のいずれか１項に記載の組成物。
【請求項９】
増粘剤が、ジエチルアミノエチル−デキストラン塩酸塩（ＤＥＡＥ−デキストラン塩酸塩）である、請求項４〜８のいずれか１項に記載の組成物。
【請求項１０】
電気化学バイオセンサーがグルコースバイオセンサーである、請求項１〜９のいずれか１項に記載の組成物。
【請求項１１】
１つの平面に設けられる作用電極および対電極、ならびに
作用電極上にコーティングされた、請求項１〜１０のいずれか１項に記載の酸化還元試薬組成物
を含む、平面型電気化学バイオセンサー。
【請求項１２】
別個の平面に設けられ、互いに向かい合う作用電極および対電極、ならびに
作用電極上にコーティングされた、請求項１〜１０のいずれか１項に記載の酸化還元試薬組成物
を含む、対面型バイオセンサー。
【発明の詳細な説明】
【技術分野】
【０００１】
本発明は、電気化学バイオセンサーのための、金属含有錯体およびチオニンまたはその誘導体を電子伝達メディエーターとして含む酸化還元試薬組成物、ならびにそれを含むバイオセンサーに関する。
【背景技術】
【０００２】
過去３０年間、糖尿病を管理するためのグルコース計の精度を改善する多くの取り組みが常になされてきたが、グルコースを測定する方法には主に２つ、すなわち分光光度計測定および電気化学測定がある。
【０００３】
これら２つの間では、グルコース計上の血液汚染によって引き起こされる精度の低下が比較的少なく、また必要とする血液の量が少ないため、電気化学測定の方が一般的である。
【０００４】
グルコース計に関連するこのような長期間にわたる多くの研究にもかかわらず、グルコース計の精度に関して多くの問題が依然として未解決であり、問題の１つは測定に採用される酵素に内在している。
【０００５】
例えば、市販の電気化学センサーに最も一般的に使用されるグルコース酸化還元酵素であるＦＡＤ−ＧＯｘは、熱に対して安定であり、酵素反応において優れた特異性を有するが、測定されるグルコース値は血中の酸素濃度の影響を受ける。
【０００６】
ＰＱＱ−ＧＤＨ酵素に基づくセンサーは酸素の影響を受けないが、マンノース、マルトースまたは乳糖を含む多くの単糖類および二糖類がセンサーにやはり影響を与え（Ｉｇａｒａｓｈｉ，Ｓ．、およびＳｏｄｅ，Ｋ．、Ｅｎｇｉｎｅｅｒｉｎｇ  ＰＱＱ  ｇｌｕｃｏｓｅ  ｄｅｈｙｄｒｏｇｅｎａｓｅ  ｗｉｔｈ  ｉｍｐｒｏｖｅｄ  ｐｌａｔｅ  ｓｐｅｃｉｆｉｃｉｔｙ−ｆｉｒｓｔ  ｓｉｔｅ−ｄｉｒｅｃｔｅｄ  ｍｕｔａｇｅｎｅｓｉｓ  ｓｔｕｄｉｅｓ  ｏｎ  ｔｈｅ  ａｃｔｉｖｅ  ｃｅｎｔｅｒ  ｏｆ  ＰＱＱ  ｇｌｕｃｏｓｅ  ｄｅｈｙｄｒｏｇｅｎａｓｅ．Ｂｉｏｍｏｌ．Ｅｎｇｉｎｅｅｒ．、２１巻、８１〜８９頁（２００４年））、より具体的には、糖尿病学会は、糖尿病患者に見出される高マルトース濃度の影響に集中してきた（Ｍｅｈｍｅｔ，Ｓ．、Ｑｕａｎ，Ｇ．、Ｔｈｏｍａｓ，Ｓ．、およびＧｏｌｄｓｍｉｔｈ，Ｄ．、Ｉｍｐｏｒｔａｎｔ  ｃａｕｓｅｓ  ｏｆ  ｈｙｐｏｇｌｙｃｅｍｉａ  ｉｎ  ｐａｔｉｅｎｔｓ  ｗｉｔｈ  ｄｉａｂｅｔｅｓ  ｏｎ  ｐｅｒｉｔｏｎｅａｌ  ｄｉａｌｙｓｉｓ．Ｄｉａｂｅｔ．Ｍｅｄ．、１８巻、６７９〜６８２頁（２００１年））。
【０００７】
ＮＡＤ−ＧＤＨ酵素はグルコース反応に優れた特異性を有するが、試薬組成物にＮＡＤ＋またはＮＡＤＰ＋を添加することを必要とするため、使用するのに不便である。こうした不便さに対する解決方法として、ＦＡＤ−ＧＤＨ（酵素番号１．１．９９．１０）に基づく電気化学センサーが開発されてきた。
【０００８】
ＦＡＤ−ＧＤＨ酵素に基づくセンサーは、血中の酸素の量によって影響を受けない。したがって、該センサーは、ヒトの体内の静脈、動脈または毛細血管から収集されたいかなる血液試料にも効率的に適用することができる。該センサーはキシロースと反応するという不利な面を有するが、マンノース、マルトースまたは乳糖と反応しないので、グルコース特異反応に関して（ＰＱＱ−ＧＤＨ）に基づくセンサーより比較的優位を保っている。
【０００９】
センサーの精度は、酵素だけでなく、電子伝達メディエーターによっても影響を受ける。フェリシアン化カリウム（［Ｋ３Ｆｅ（ＣＮ）６］）、フェナジン−メトスルファート、メトキシフェナジン−メトスルファート、フェナジンメチルスルファートおよびジクロロインドフェノールが、ＦＡＤ−ＧＤＨの電子伝達メディエーターとしてよく知られている。しかし、上述のすべてのメディエーターの性質は、高温または高湿度の条件で容易に変化するので、センサーが長期間保存されたときにセンサーの精度が低下しやすくなる。この問題に対処するために、フェリシアン化カリウムをフェノチアジンの親水性誘導体に置き換える方法が提案された（ＵＳ２００９０１４５７７５）。
【００１０】
ＦＡＤ−ＧＯｘ（ＥＣ番号１．１．３．４）に基づく電気化学センサーの場合、ヘキサアミンルテニウム塩化物（ｈｅｘａａｍｉｎｅｒｕｔｈｅｎｉｕｍ  ｃｈｌｏｒｉｄｅ）（［Ｒｕ（ＮＨ３）６Ｃｌ３］）が電子伝達メディエーターとして採用されており、その理由は、該センサーは、フェリシアン化物を採用するセンサーと比較して、尿酸およびゲンチシン酸などの妨害物質のからの影響がはるかに少なく、また湿気による精度の低下がはるかに少ないからである（ＵＳ７２８８１７４、ＵＳ２００９０２８０５５１）。しかし、ヘキサアミンルテニウム塩化物とＦＡＤ−ＧＤＨ（ＥＣ番号１．１．９９．１０）との間の反応はかなり遅いので、有用なセンサーの作製は容易ではなかった。
【００１１】
一方、以下は、２種類の電子伝達メディエーターを使用する例の一覧である。
【００１２】
ＥＰ  ０２３８３２２  Ａ１は、フェリシアン化物およびベンゾキノンを用いて、細菌と電極との間の電子伝達の速度を上げる方法を教示する。
【００１３】
ＵＳ  ２００７０２９５６１６  Ａ１は、オスミウム（Ｏｓ）およびフェリシアン化物をグルコースセンサーに適用する方法を教示する。
【００１４】
Ａ．Ａｍｉｎｅら（Ａ．Ａｍｉｎｅ、Ｊ．Ｍ．Ｋａｕｆｆｍａｎｎ、Ｇ．Ｊ．Ｐａｔｒｉａｒｃｈｅ、Ｇ．Ｄ．Ｃｈｒｉｓｔｉａｎ；Ｃｈａｒａｃｔｅｒｉｚａｔｉｏｎ  ｏｆ  ｍｅｄｉａｔｅｄ  ａｎｄ  ｎｏｎ−ｍｅｄｉａｔｅｄ  ｏｘｉｄａｓｅ  ｅｎｚｙｍｅ  ｂａｓｅｄ  ｇｌａｓｓｙ  ｃａｒｂｏｎ  ｅｌｅｃｔｒｏｄｅ、Ｔａｌａｎｔａ、１９９３年、４０巻、１１５７〜１１６２頁）は、フェナジンメトスルファートおよびフェリシアン化物をグルコースオキシダーゼに適用する方法を教示する。
【００１５】
Ａ．ＡｍｉｄおよびＪ．Ｍ  Ｋａｆｆｍａｎ（Ａ．ＡｍｉｎｅおよびＪ．Ｍ．Ｋａｕｆｆｍａｎｎ；Ｐｒｅｐａｒａｔｉｏｎ  ａｎｄ  ｃｈａｒａｃｔｅｒｉｚａｔｉｏｎ  ｏｆ  ａ  ｆｒａｇｉｌｅ  ｅｎｚｙｍｅ  ｉｍｍｏｂｉｌｉｚｅｄ  ｃａｒｂｏｎ  ｐａｓｔｅ  ｅｌｅｃｔｒｏｄｅ、Ｂｉｏｅｌｅｃｔｒｏｃｈｅｍ．Ｂｉｏｅｎｅｒｇ．、１９９２年、２８巻、１１７〜１２５頁）は、フェナジンメトスルファートおよびフェリシアン化物をグルタミン酸デヒドロゲナーゼに適用する方法を教示する。
【００１６】
しかし、ルテニウム錯体と共に使用することができる第２の電子伝達メディエーターは見出されていない。
【００１７】
上述の問題に対する解決方法を見出すための研究において、本発明者らは、金属含有錯体およびチオニンまたはその誘導体を電子伝達メディエーターとして含む試薬組成物は、酸化還元酵素−チオニン（またはその誘導体）および金属含有錯体の間の反応速度を上げることによってグルコース検出の効率を改善し、また該試薬組成物は高湿度条件下および妨害物質から影響をほとんど受けないことを見出し、よって本発明を完成するに至った。
【先行技術文献】
【特許文献】
【００１８】
【特許文献１】ＥＰ  ００２３８３２２  Ａ１
【特許文献２】ＵＳ  ２００７０２９５６１６  Ａ１
【非特許文献】
【００１９】
【非特許文献１】Ａ．Ａｍｉｎｅ、Ｊ．Ｍ．Ｋａｕｆｆｍａｎｎ、Ｇ．Ｊ．Ｐａｔｒｉａｒｃｈｅ、Ｇ．Ｄ．Ｃｈｒｉｓｔｉａｎ；Ｃｈａｒａｃｔｅｒｉｚａｔｉｏｎ  ｏｆ  ｍｅｄｉａｔｅｄ  ａｎｄ  ｎｏｎ−ｍｅｄｉａｔｅｄ  ｏｘｉｄａｓｅ  ｅｎｚｙｍｅ  ｂａｓｅｄ  ｇｌａｓｓｙ  ｃａｒｂｏｎ  ｅｌｅｃｔｒｏｄｅ、Ｔａｌａｎｔａ、１９９３年、４０巻、１１５７〜１１６２頁。
【非特許文献２】Ａ．ＡｍｉｎｅおよびＪ．Ｍ．Ｋａｕｆｆｍａｎｎ；Ｐｒｅｐａｒａｔｉｏｎ  ａｎｄ  ｃｈａｒａｃｔｅｒｉｚａｔｉｏｎ  ｏｆ  ａ  ｆｒａｇｉｌｅ  ｅｎｚｙｍｅ  ｉｍｍｏｂｉｌｉｚｅｄ  ｃａｒｂｏｎ  ｐａｓｔｅ  ｅｌｅｃｔｒｏｄｅ、Ｂｉｏｅｌｅｃｔｒｏｃｈｅｍ．Ｂｉｏｅｎｅｒｇ．、１９９２年、２８巻、１１７〜１２５頁。
【発明の概要】
【発明が解決しようとする課題】
【００２０】
本発明の目的は、電気化学バイオセンサーのための、金属含有錯体およびチオニンまたはその誘導体を電子伝達メディエーターとして含む酸化還元試薬組成物を提供することである。
【００２１】
本発明の別の目的は、作用電極が酸化還元試薬でコーティングされた、平面型バイオセンサー（ｐｌａｎａｒ  ｔｙｐｅ  ｂｉｏｓｅｎｓｏｒ）を提供することである。
【００２２】
本発明のさらに別の目的は、作用電極が酸化還元試薬でコーティングされた、対面型バイオセンサー（ｃｏｎｖｅｒｓｅ  ｔｙｐｅ  ｂｉｏｓｅｎｓｏｒ）を提供することである。
【課題を解決するための手段】
【００２３】
上で説明した目的を達成するために、本発明は、電気化学バイオセンサーのための、酸化還元酵素と、金属含有錯体およびチオニンまたはその誘導体を含む電子伝達メディエーターとを含む酸化還元試薬組成物を提供する。
【００２４】
さらに、本発明は、作用電極および対電極が同一平面に調製され、作用電極が酸化還元試薬でコーティングされた、平面型電気化学バイオセンサーを提供する。
【００２５】
さらに、本発明は、作用電極および対電極が２つの別個の平面上に調製され、作用電極が酸化還元試薬でコーティングされた、対面型電気化学バイオセンサーを提供する。
【発明の効果】
【００２６】
本発明によれば、金属含有錯体およびチオニンまたはその誘導体を電子伝達メディエーターとして含む酸化還元試薬は、酸化還元酵素−チオニン（またはその誘導体）−金属含有錯体の間の反応速度を上げることによってグルコース感度を改善し、また高湿度条件および妨害物質から影響をほとんど受けないので、血糖測定用の電気化学バイオセンサーを作製するのに望ましいものとなる。
【００２７】
本発明の前述のおよび／または他の態様は、添付の図面を参照しながら、特定の例示的な実施形態の記述を読めば、より明白になろう。
【図面の簡単な説明】
【００２８】
【図１】本発明の実施形態によって使用されるチオニンの化学構造を図示する図である。
【図２】本発明の実施形態によって使用されるチオニン誘導体の化学構造を図示する図である。
【図３】本発明の実施例による平面型バイオセンサーを図示する分解組立図である。
【図４】本発明の実施形態による対面型バイオセンサーを図示する分解組立図である。
【図５】本発明の一実施形態によるバイオセンサーの作用電極に印加した電圧の、時間に対する変化を図示するグラフである。試料が作用電極および対電極の両方を同時に覆うとき、作用電極を０ｍＶに設定する。３秒後に、作用電極に２００ｍＶを印加し、４秒目に電流を測定する。
【図６】実施例１−１および比較例１−１による対面型バイオセンサーを使用して、幾つかのグルコース濃度の試料で測定された電流を示すグラフである。
【図７】実施例１−２による平面型のバイオセンサーを使用して、幾つかのグルコース濃度の試料で測定された電流を示すグラフである。
【図８】実施例２−１による対面型バイオセンサーを使用して、幾つかのグルコース濃度の試料で測定された電流を示すグラフである。
【図９】実施例１−１（１０ｍＭチオニン）および実施例３−１から６−１による対面型バイオセンサーを使用して、幾つかのグルコース濃度の試料で測定された電流を示すグラフである。
【発明を実施するための形態】
【００２９】
以下に、本発明を詳細に説明する。
【００３０】
本発明は、電気化学バイオセンサーのための、酸化還元酵素および電子伝達メディエーターを含む酸化還元試薬組成物であって、電子伝達メディエーターが金属含有錯体およびチオニンまたはその誘導体を含む組成物を提供する。
【００３１】
本発明の酸化還元試薬組成物によれば、酸化還元酵素はその基質との反応を通して還元され、還元された酵素と電子伝達メディエーターとが互いに反応して基質を定量化する。
【００３２】
本発明の実施形態はグルコース測定用バイオセンサーに関して説明されるが、特異的な酵素をそれらの適正なメディエーターと共に同様に採用すれば、コレステロール、乳酸塩、クレアチニン、過酸化水素、アルコール、アミノ酸もしくはグルタミン酸塩、または無機物質などの、有機または無機物質などの様々な代謝産物の濃度を測定することができる。したがって、本発明は、試薬組成物中の酵素を交換することによって、様々な代謝産物の定量化に適用することができる。
【００３３】
例えば、フラビンアデニンジヌクレオチド−グルコースデヒドロゲナーゼ（ＦＡＤ−ＧＤＨ）、ニコチンアミドアデニンジヌクレオチド−グルコースデヒドロゲナーゼ（ＮＡＤ−ＧＤＨ）、グルコースデヒドロゲナーゼ（ＧＤＨ）、グルタミン酸デヒドロゲナーゼ、コレステロールオキシダーゼ、コレステロールエステラーゼ、乳酸オキシダーゼ、アスコルビン酸オキシダーゼ、アルコールオキシダーゼ、アルコールデヒドロゲナーゼまたはビリルビンオキシダーゼを、グルコース、グルタミン酸塩、コレステロール、乳酸塩、アスコルビン酸、アルコール、またはビリルビンの定量化を行うために使用してもよい。
【００３４】
一方、酸化還元酵素は、単独で採用されても、またはそれらの補助因子と共に採用されてもよい。補助因子は、酸化還元酵素がその基質から得た水素を保存する役割を果たす。補助因子は、ＦＡＤ（フラビンアデニンジヌクレオチド）であっても、またはＮＡＤ（ニコチンアミドアデニンジヌクレオチド）であってもよい。
【００３５】
本発明の酸化還元試薬の配合物中で、その基質との反応から生じた還元された酵素との酸化還元反応から、電子伝達メディエーターは還元される。形成された還元状態の電子伝達メディエーターによって、酸化電位が印加される電極の表面で電流が発生する。
【００３６】
本明細書では、金属含有錯体とチオニンまたはその誘導体とを混合して電子伝達メディエーターとして使用するが、これは、フェロセン、フェロセン誘導体、キノン、キノン誘導体、有機導電性塩、およびビオロゲンなどの従来の物質の使用を排除することを意味するものではない。
【００３７】
上の電子伝達メディエーター用に、ルテニウム錯体またはフェリシアン化物錯体が金属含有錯体として使用されてもよい。ルテニウム錯体には、Ｒｕ（ＮＨ３）６Ｃｌ３、［Ｒｕ（２，２’，２’’−ターピリジン）（１，１０−フェナントロリン）（ＯＨ２）］２＋、ｔｒａｎｓ−［Ｒｕ（２，２’−ビピリジン）２（ＯＨ２）（ＯＨ）］２＋、［（２，２’−ビピリジン）２（ＯＨ）ＲｕＯＲｕ（ＯＨ）（２，２’ｂｐｙ）２］４＋または［Ｒｕ（４，４’−ビピリジン）（ＮＨ３）５］２＋が含まれてもよく、フェリシアン化物錯体にはＫ３Ｆｅ（ＣＮ）６が含まれてもよい。
【００３８】
上の電子伝達メディエーター用に、チオニン誘導体には、３−アミノ−７−（２，３，４，５，６−ペンタヒドロキシヘキサンアミド）−５−フェノチアジニウム（チオニン誘導体ａ）、アズールＣ（チオニン誘導体ｂ）、アズールＡ（チオニン誘導体ｃ）、メチレンブルー（チオニン誘導体ｄ）、トルイジンブルー（チオニン誘導体ｅ）（図２参照）が含まれてもよい。
【００３９】
ヘキサアミンルテニウム塩化物は本発明において最も好ましいルテニウム錯体であり、その理由は、その酸化還元状態が水溶液中で安定かつ可逆的である；その還元された電子伝達メディエーターが酸素と反応しない；還元された電子伝達メディエーターの酸化がｐＨに感受性でない；およびアセトアミノフェン（ａｃｅｔａｍｉｎｏｐｈｅｎｅ）、アスコルビン酸、ビリルビン、ドーパミン、尿酸およびゲンチシン酸などの妨害物質がヘキサアミンルテニウム塩化物と反応しない（実験例４参照）ためである。
【００４０】
本発明によれば、チオニンを共に有するルテニウム錯体の電極伝達メディエーター（ｅｌｅｃｔｒｏｄｅ  ｔｒａｎｓｆｅｒ  ｍｅｄｉａｔｏｒ）は、有意にグルコース検出効率を改善し、また高湿度および様々なインターフェラント（ｉｎｔｅｒｆｅｒａｎｔ）はグルコース検出にほとんど影響を与えない。
【００４１】
例えば、比較例１を参照すると、チオニンを用いずにヘキサアミンルテニウム塩化物（Ｒｕ（ＮＨ３）６Ｃｌ３）を電子伝達メディエーターとして単独で使用するとき、酸化還元酵素との反応速度が遅いために、メディエーターはバイオセンサーにほとんど適用することができない。反対に、本発明によって金属含有錯体およびチオニンまたはその誘導体を共に電子伝達メディエーターとして使用するとき、酸化還元酵素とチオニンまたはその誘導体との間の反応速度およびチオニンまたはその誘導体と金属含有錯体との間の反応速度が速いので、メディエーターを効率的に使用してバイオセンサーを作製することができる（実験例１）。
【００４２】
本発明による酸化還元試薬組成物は、酸化還元酵素１００質量％当り２５０から３４０質量％の金属含有錯体を含有することが好ましい。試薬が２５０質量％未満の金属含有錯体を含有するとき、センサーの感度は高グルコース濃度で劣化し、一方、試薬が３４０質量％より多い金属含有錯体を含有するとき、試薬は素早く血中に溶解しない。
【００４３】
本発明による酸化還元試薬組成物は、酸化還元酵素１００質量％当り６から２０質量％のチオニンまたはその誘導体を含有することが好ましい。試薬が６質量％未満のチオニンまたはその誘導体を含有するとき、センサーの感度は高グルコース濃度で劣化し、一方、試薬が２０質量％より多いチオニンまたはその誘導体を含有するとき、試薬は素早く血中に溶解しない。
【００４４】
一方、本発明による酸化還元試薬組成物は、界面活性剤、水溶性高分子、第４級アンモニウム塩、脂肪酸および増粘剤などの添加剤を追加的に含んでもよい。
【００４５】
添加剤として使用される界面活性剤によって、試薬は電極上に均等に広がり、試薬を分注する間に均一な厚さとなる。界面活性剤には、Ｔｒｉｔｏｎ  Ｘ−１００、ドデシル硫酸ナトリウム、ペルフルオロオクタンスルホン酸またはステアリン酸ナトリウムが含まれてもよい。本発明によれば、酸化還元試薬組成物は、酸化還元酵素１００質量％当り１０から２５質量％の界面活性剤を含有することが好ましい。
【００４６】
添加剤として使用される水溶性高分子は、酵素の安定化および分散を補助する高分子足場としての役割を果たす。水溶性高分子には、例えば、ポリビニルピロリドン（ＰＶＰ）、ポリビニルアルコール（ＰＶＡ）、ペルフルオロスルホン酸、ヒドロキシエチルセルロース（ＨＥＣ）、ヒドロキシプロピルセルロース（ＨＰＣ）、カルボキシメチルセルロース（ＣＭＣ）、酢酸セルロース、またはポリアミドが含まれてもよい。本発明による酸化還元試薬組成物は、酸化還元酵素１００質量％当り３０から７０質量％の水溶性高分子を含有することが好ましい。
【００４７】
添加剤として使用される第４級アンモニウム塩は、ヘマトクリットによる測定誤差を低減する。第４級アンモニウム塩には、例えば、エシルトリメチルアンモニウム（ｅｃｙｌｔｒｉｍｅｔｈｙｌａｍｍｏｎｉｕｍ）、ミリスチルトリメチルアンモニウム、セチルトリメチルアンモニウム、オクタデシルトリメチルアンモニウムまたはテトラヘキシルアンモニウムが含まれてもよい。本発明による酸化還元試薬組成物は、酸化還元酵素１００質量％当り７０から１３０質量％の第４級アンモニウム塩を含有することが好ましい。
【００４８】
添加剤として使用される脂肪酸も、第４級アンモニウム塩と同様にヘマトクリットに関連する測定誤差を低減し、また高濃度でのバイオセンサーのリニアダイナミックレンジも拡大する。脂肪酸には、Ｃ４〜Ｃ２０脂肪酸もしくはその塩、または好ましくは、Ｃ６〜Ｃ１２アルキル鎖の脂肪酸もしくはその塩が含まれてもよい。脂肪酸には、例えば、カプロン酸、ヘプタン酸、カプリル酸、オクタン酸、ノナン酸、カプリン酸、ウンデカン酸、ラウリン酸、トリデカン酸、ミリスチン酸、ペンタデカン酸、パルミチン酸、ヘプタデカン酸、ステアリン酸、ノナデカン酸、またはアラキドン酸が含まれてもよい。本発明による酸化還元試薬組成物は、酸化還元酵素１００質量％当り３０から７０質量％の脂肪酸を含有することが好ましい。
【００４９】
添加剤として使用される増粘剤は、試薬を電極上に確実に付着させる。増粘剤には、例えば、ＮａｔｒｏｓｏｌまたはＤＥＡＥ−デキストラン塩酸塩が含まれてもよい。本発明による酸化還元試薬組成物は、酸化還元酵素１００質量％当り３０から９０質量％の増粘剤を含有することが好ましい。
【００５０】
本発明によれば、電気化学バイオセンサーは、平面型バイオセンサーであって、作用電極と対電極とが１つの平面に調製され、本発明による酸化還元試薬組成物が作用電極上にコーティングされる、平面型バイオセンサーであってもよい。
【００５１】
さらに、本発明によれば、電気化学バイオセンサーは、対面型バイオセンサーであって、作用電極と対電極とが別個の平面に調製され互いに向かい合い、本発明による酸化還元試薬組成物が作用電極上にコーティングされる、対面型バイオセンサーであってもよい。
【００５２】
平面型および対面型電気化学バイオセンサーは、韓国特許出願第１０−２００３−００３６８０４号、第１０−２００５−００１０７２０号、第１０−２００７−００２０４４７号、第１０−２００７−００２１０８６号、第１０−２００７−００２５１０６号、および第１０−２００７−００３０３４６号、ならびにＥ．Ｋ．Ｂａｕｍａｎら（Ａｎａｌｙｔｉｃａｌ  Ｃｈｅｍｉｓｔｒｙ、第３７巻、１３７８頁、１９６５年）、およびＫ．Ｂ．Ｏｌｄｈａｍ（「Ｍｉｃｒｏｅｌｅｃｔｒｏｄｅｓ：Ｔｈｅｏｒｙ  ａｎｄ  Ａｐｐｌｉｃａｔｉｏｎｓ」、Ｋｌｕｗｅｒ  Ａｃａｄｅｍｉｃ  Ｐｕｂｌｉｓｈｅｒｓ、１９９１年）に開示される既知の方法によって作製することができる。
【００５３】
以下に、平面型および対面型バイオセンサーを、図３および４を参照することによって詳細に説明する。
【００５４】
図３を参照すると、作用電極２および対電極３が１つの平面に調製される平面型電気化学バイオセンサーは、血液を通してセンサーに引き込む流路１０を有する最上層１１；両方の表面上に、最上層１１および最下層に貼り付くように接着剤がコーティングされ、毛細管現象によって血液が電極方向に引き込まれるようにするスペーサー９；以下に説明される作用電極２上にコーティングされた本発明による酸化還元試薬組成物８；作用電極２および対電極３の面積を規定する通路を有する絶縁層７；最下層１上に印刷された作用電極２および対電極３；ならびに、上に作用電極２および対電極３が形成された最下層１を順次積層した構造を有する。
【００５５】
図４を参照すると、作用電極２および対電極３が別個の平面に互いに向かい合うように調製される対面型電気化学バイオセンサーは、血液を通してセンサーに引き込む流路１０を有し、対電極３が印刷された最上層１１；最上層１１に印刷された対電極３；両方の表面上に、最上層１１および最下層１に貼り付くように接着剤がコーティングされ、毛細管現象によって血液が電極方向に引き込まれるようにするスペーサー９；作用電極２上にコーティングされた本発明による酸化還元試薬組成物８；作用電極２と対電極３の面積を規定する通路を有する絶縁層７；対電極３を対電極３のリード４に接続する回路接続グラウンド（ｃｉｒｃｕｉｔ  ｃｏｎｎｅｃｔ  ｇｒｏｕｎｄ）５；すべて最下層上に印刷された、作用電極２、対電極３のリード４および導入された血液の速さを測定する流速検出電極（ｆｌｏｗ  ｒａｔｅ  ｄｅｔｅｃｔｉｎｇ  ｅｌｅｃｔｒｏｄｅ）６；ならびに、上に作用電極２、対電極３のリード４および流速検出電極６が形成された最下層１を順次積層した構造を有する。
【００５６】
上で説明した通り、本発明による酸化還元試薬組成物は、酸化還元酵素−チオニン（またはその誘導体）−金属含有錯体の間の反応速度を上げて、グルコース検出速度を大幅に上げ、また高湿度または妨害物質から影響をほとんど受けないので、本発明によって金属含有錯体およびチオニンまたはその誘導体を電子伝達メディエーターとして含有する酸化還元試薬組成物は、血中のグルコースレベルを測定するための電気化学バイオセンサーの製造に有用に実装することが可能である。
【００５７】
（発明の様式）
以下に、実施例および実験例を参照しながら、本発明を詳細に説明する。しかし、実施例は説明を目的として書かれているに過ぎず、したがって、本発明はいかなる具体例にも限定されない。
【実施例１】
【００５８】
ヘキサアミンルテニウム塩化物およびチオニンを電子伝達メディエーターとして含む酸化還元試薬組成物の調製
酸化還元酵素としてのフラビンアデニンジヌクレオチド−グルコースデヒドロゲナーゼ（ＦＡＤ−ＧＤＨ）１００質量％当りに、金属含有錯体としてヘキサアミンルテニウム塩化物（Ｒｕ（ＮＨ３）６Ｃｌ３）２９０．４質量％；チオニン１４．６質量％（８ｍＭ）または１８．３質量％（１０ｍＭ）；脂肪酸としてオクタン酸ナトリウム５２質量％；第４級アンモニウム塩としてミリスチルトリメチルアンモニウムブロミド１０４．３質量％；増粘剤としてＤＥＡＥ−デキストラン塩酸塩１１．７質量％およびＮａｔｒｏｓｏｌ  ５２質量％；水溶性高分子としてポリビニルアルコール５２質量％；ならびに界面活性剤（Ｔｒｉｔｏｎ  Ｘ−１００）１７．４質量％を、リン酸ナトリウム緩衝液（ｐＨ６．４、０．１Ｍを１２４９ｍｌ）および脱イオン水（１６１４．６ｍｌ）に溶解し、溶液中に残存する固体粒子を濾過して取り除いた。この溶液を、使用まで空圧ディスペンサー（ＥＦＤ  ＸＬ１００）のシリンジ内に置いた。
【００５９】
一方は８ｍＭ、他方は１０ｍＭのチオニン含有量をそれぞれ含有する、２種の試薬組成物を調製した。以降、実施例１の試薬組成物が記載されるときはいつもチオニン含有量を括弧内に示す。
【００６０】
＜実施例１−１＞実施例１の試薬組成物を含有する対面型バイオセンサーの作製
図４を参照し、平均０．５μｌの試料導入部を有する対面型バイオセンサーを調製した。対面型バイオセンサーは、韓国特許出願第１０−２００３−００３６８０４号、第１０−２００５−００１０７２０号、第１０−２００７−００２０４４７号、第１０−２００７−００２１０８６号、第１０−２００７−００２５１０６号、および第１０−２００７−００３０３４６号、ならびにＥ．Ｋ．ＢａｕｍａｎらのＡｎａｌｙｔｉｃａｌ  Ｃｈｅｍｉｓｔｒｙ、第３７巻、１３７８頁、１９６５年、およびＫ．Ｂ．Ｏｌｄｈａｍの「Ｍｉｃｒｏｅｌｅｃｔｒｏｄｅｓ：Ｔｈｅｏｒｙ  ａｎｄ  Ａｐｐｌｉｃａｔｉｏｎｓ」、Ｋｌｕｗｅｒ  Ａｃａｄｅｍｉｃ  Ｐｕｂｌｉｓｈｅｒｓ、１９９１年に開示される方法を参照することによって調製した。
【００６１】
図４を参照すると、符号１は、その上に作用電極（面積：１．９５ｍｍ２）、対電極のリード、および流速検出電極がスクリーン印刷された、ポリエステルから形成される最下層のプラスチックを表し；２、３、４、６は、スクリーン印刷のカーボングラファイトによって形成された電極を表し、そのうち符号２は作用電極、３は対電極、４は対電極のリード、および６は入ってくる血液の速度を測定するための粘度測定電極を表し；５は、作用電極および対電極３および４を接続するための、銀および塩化銀（Ａｇ／ＡｇＣｌ）から形成された回路接続グラウンドであり；７は、作用電極２の面積を規定する絶縁体であり；８は、実施例１で調製され、作用電極上にコーティングされた、酸化還元試薬組成物（チオニン８ｍＭまたは１０ｍＭ）であり；９は、０．０７ｍｍの厚さを有するスペーサーであって、それを通して毛細管現象によって血液が電極方向に引き込まれ、また両方の表面上に、最上層および最下層に接着するように接着剤がコーティングされたスペーサーであり；１０は空気口であり；１１は、対電極がスクリーン印刷された、ポリエステルから形成される最上層のプラスチックである。
【００６２】
以降、実施例１−１の対面型バイオセンサーの説明において、実施例１の試薬組成物のチオニン含有量を、同様に括弧内で特定する。
【００６３】
＜実施例１−２＞実施例１の試薬組成物を含有する平面型バイオセンサーの作製
図３を参照し、平均０．５μｌの試料導入部を有する平面型バイオセンサーを調製した。平面型バイオセンサーは、韓国特許出願第１０−２００３−００３６８０４号、第１０−２００５−００１０７２０号、第１０−２００７−００２０４４７号、第１０−２００７−００２１０８６号、第１０−２００７−００２５１０６号、および第１０−２００７−００３０３４６号、ならびにＥ．Ｋ．ＢａｕｍａｎらのＡｎａｌｙｔｉｃａｌ  Ｃｈｅｍｉｓｔｒｙ、第３７巻、１３７８頁、１９６５年、およびＫ．Ｂ．Ｏｌｄｈａｍの「Ｍｉｃｒｏｅｌｅｃｔｒｏｄｅｓ：Ｔｈｅｏｒｙ  ａｎｄ  Ａｐｐｌｉｃａｔｉｏｎｓ」、Ｋｌｕｗｅｒ  Ａｃａｄｅｍｉｃ  Ｐｕｂｌｉｓｈｅｒｓ、１９９１年に開示される方法によって具体的に作製した。
【００６４】
図３を参照すると、符号１は、その上に形成された作用電極（面積：１．０５ｍｍ２）および対電極を含む、ポリエステルから形成された最下層のプラスチックを表し；２および３は、スクリーン印刷のカーボングラファイトで作られた電極であり、そのうち２は作用電極、３は対電極であり；７は、作用電極および対電極の面積を規定する絶縁体であり；８は、実施例１で調製され、作用電極上にコーティングされた、酸化還元試薬組成物（チオニン８ｍＭまたは１０ｍＭ）であり；９は、０．１０ｍｍの厚さのスペーサーであって、それを通して毛細管現象によって血液が電極方向に引き込まれ、また、両方の表面上に、最上層および最下層に接着するように接着剤がコーティングされたスペーサーであり；１０は血液をセンサーに引き込むための空気口であり；１１はポリエステルから形成される最上層のプラスチックである。
【００６５】
以降、実施例１−２の平面型バイオセンサーの説明において、実施例１の試薬組成物のチオニン含有量は、同様に括弧内で特定する。
【実施例２】
【００６６】
ヘキサアミンルテニウム塩化物およびチオニンの誘導体を電子伝達メディエーターとして含有する酸化還元試薬組成物第１番の調製
実施例１の試薬組成物のチオニンを、図２に列挙したチオニンの誘導体の１つである３−アミノ−７−（２，３，４，５，６−ペンタヒドロキシヘキサンアミド）−５−フェノチアジニウム（「チオニン誘導体ａ」）に置き換えたこと以外は実施例１において上で説明したものと同様に、試薬組成物を調製した。
【００６７】
＜実施例２−１＞実施例２の試薬組成物を含有する対面型バイオセンサーの作製
実施例１−２の作用電極上にコーティングされた実施例１の代わりに実施例２の試薬組成物を使用する以外は上で説明したものと同様に、対面型バイオセンサーを作製した。
【実施例３】
【００６８】
ヘキサアミンルテニウム塩化物およびチオニンの誘導体を電子伝達メディエーターとして含有する酸化還元試薬組成物第２番の調製
チオニンの代わりに、図２に列挙したチオニン誘導体の１つである１０ｍＭのアズールＣ（「チオニン誘導体ｂ」）を使用する以外は実施例１で説明したものと同様に、試薬組成物を調製した。
【００６９】
＜実施例３−１＞実施例３の試薬組成物を含有する対面型バイオセンサーの作製
作用電極上に実施例１の代わりに実施例３の試薬組成物を使用する以外は実施例１−１で説明したものと同様に、対面型バイオセンサーを作製した。
【実施例４】
【００７０】
ヘキサアミンルテニウム塩化物およびチオニンの誘導体を電子伝達メディエーターとして含有する酸化還元試薬組成物第３番の調製
チオニンの代わりに、図２に列挙したチオニン誘導体の１つである１０ｍＭのアズールＡ（「チオニン誘導体ｃ」）を使用する以外は実施例１で説明したものと同様に、試薬組成物を調製した。
【００７１】
＜実施例４−１＞実施例４の試薬組成物を含有する対面型バイオセンサーの作製
実施例１の代わりに実施例４の試薬組成物を使用する以外は実施例１−１で説明したものと同様に、対面型バイオセンサーを作製した。
【実施例５】
【００７２】
ヘキサアミンルテニウム塩化物およびチオニンの誘導体を含有する酸化還元試薬組成物第４番の調製
チオニンの代わりに、図２に列挙したチオニン誘導体の１つである１０ｍＭのメチレンブルー（「チオニン誘導体ｄ」）を使用する以外は実施例１で説明したものと同様に、試薬組成物を調製した。
【００７３】
＜実施例５−１＞実施例５の試薬組成物を含有する対面型バイオセンサーの作製
作用電極上に実施例１の代わりに実施例５の試薬組成物を使用する以外は実施例１−１で説明したのと同様に、対面型バイオセンサーを作製した。
【実施例６】
【００７４】
ヘキサアミンルテニウム塩化物およびチオニンの誘導体を電子伝達メディエーターとして含有する酸化還元試薬組成物第５番の調製
チオニンの代わりに、図２に列挙したチオニン誘導体の１つである１０ｍＭのトルイジンブルー（「チオニン誘導体ｅ」）を使用する以外は実施例１で説明したものと同様に、試薬組成物を調製した。
【００７５】
＜実施例６−１＞実施例６の試薬組成物を含有する対面型バイオセンサーの作製
作用電極上に実施例１の代わりに実施例６の試薬組成物を使用する以外は実施例１−１で説明したのと同様に、対面型バイオセンサーを作製した。
【実施例７】
【００７６】
フェリシアン化カリウムおよびチオニンを電子伝達メディエーターとして含有する酸化還元試薬組成物の調製
ヘキサアミンルテニウム塩化物（Ｒｕ（ＮＨ３）６Ｃｌ３）の代わりに、フェリシアン化カリウム（Ｋ３Ｆｅ（ＣＮ）６）およびチオニンを使用する以外は実施例１で説明したものと同様に、試薬組成物を調製した。
【００７７】
＜実施例７−１＞実施例７の試薬組成物を含有する対面型バイオセンサーの作製
作用電極上に実施例１の代わりに実施例７の試薬組成物を使用する以外は実施例１−１で説明したのと同様に、対面型バイオセンサーを作製した。
【００７８】
＜比較例１＞ヘキサミンルテニウム塩化物（ｈｅｘａｍｉｎｅｒｕｔｈｅｎｉｕｍ  ｃｈｌｏｒｉｄｅ）を電子伝達メディエーターとして含有する酸化還元試薬組成物の調製
チオニンを使用しない以外は実施例１で説明したものと同様に、試薬組成物を調製した。
【００７９】
＜比較例１−１＞比較例１の試薬組成物を含有する対面型バイオセンサーの作製
作用電極上に実施例１の代わりに比較例１の試薬組成物を使用する以外は実施例１−１で説明したのと同様に、対面型バイオセンサーを作製した。
【００８０】
＜比較例２＞フェリシアン化カリウムを電子伝達メディエーターとして含有する酸化還元試薬組成物の調製
ヘキサアミンルテニウム塩化物（Ｒｕ（ＮＨ３）６Ｃｌ３）およびチオニンの代わりに、フェリシアン化カリウム（Ｋ３Ｆｅ（ＣＮ）６）を使用する以外は実施例１で説明したものと同様に、試薬組成物を調製した。
【００８１】
＜比較例２−１＞比較例２の試薬組成物を含有する対面型バイオセンサーの作製
作用電極上に実施例１の代わりに比較例２で調製した試薬組成物を使用する以外は実施例１−１で説明したのと同様に、対面型バイオセンサーを作製した。
【００８２】
＜実験例１＞対面型バイオセンサーを使用する、グルコース標準溶液での電流測定
実施例１−１（１０ｍＭのチオニン）で作製した対面型バイオセンサーおよび比較例１−１で作製した対面型バイオセンサーを使用して、グルコース標準溶液の電流を測定した。ここで、「グルコース標準溶液」は、グルコースアナライザー（製造業者：ＹＳＩ、機種名：２３００  Ｓｔａｔ  Ｐｌｕｓ）を使用して、ヘマトクリット４２％および幾つかのグルコース濃度に調整した静脈内の血液に由来する血液試料を指す。
【００８３】
具体的には、６９、９７、１４８、２０１、３０４、３９９または５０３ｍｇ／ｄＬのグルコース濃度の各標準溶液が作用電極および対電極の両方を覆った瞬間に、作用電極に０ｍＶを印加し、３秒待った後、作用電極に２００ｍＶを印加し、１秒後に電流を測定した（図５参照）。測定は、グルコース濃度当り１０回行い、平均値を図６に列挙した。
【００８４】
実施例１−１および比較例１−１の対面型バイオセンサーの導入部に０．５μｌの試料量を施し、ヘマトクリット４２％の血液全体が導入部に充填されるまでにかかったのは約０．２秒以下であった。
【００８５】
図５は、本発明の一実施形態によるバイオセンサーの作用電極に印加した電圧の、時間に対する変化を図示するグラフである。試料が作用電極および対電極の両方を同時に覆うとき、作用電極に０ｍＶを印加する。３秒後に、作用電極に２００ｍＶを印加し、４秒目に電流を測定する。
【００８６】
図６は、実施例１−１および比較例１−１の対面型バイオセンサーを使用して測定された電流を、グルコース濃度の関数として図示するグラフである。
【００８７】
図６を参照すると、ヘキサアミンルテニウム塩化物およびチオニンの両方を電子伝達メディエーターとして含有する実施例１−１の対面型バイオセンサーは、測定された電流がグルコース濃度と共に徐々に増加する良好な直線性を呈した。しかし、電子伝達メディエーターとしてヘキサミンルテニウム塩化物（ｈｅｘａｍｉｎｅｒｕｔｈｅｎｉｕｍ  ｃｈｌｏｒｉｄｅ）だけを含有する（すなわち、チオニンを含まない）比較例１−１の対面型バイオセンサーは、グルコース濃度に対して不十分な直線性を示した。実施例１−１の対面型バイオセンサーを使用して測定した作用電極の単位面積当りの電流の傾きは、４１．７ｎＡ／ｍｍ２／（ｍｇ／ｄＬ）であったことにより、グルコースとの反応速度が極めて速いことが意味される。
【００８８】
したがって、本発明による酸化還元試薬を適用した対面型バイオセンサーは極めて迅速にグルコースと反応するので、本発明による酸化還元試薬組成物は、血中のグルコースを検出するためのバイオセンサーの作製に極めて有用である。
【００８９】
＜実験例２＞平面型バイオセンサーを使用する、グルコース標準溶液での電流測定
実施例１−２の平面型バイオセンサー（８ｍＭのチオニン）を使用して、実験例１で説明したのと同様に、グルコース標準溶液で電流を測定した。
【００９０】
図７は、実施例１−２による平面型バイオセンサーを使用して測定された電流を、グルコース濃度の関数として示すグラフである。
【００９１】
図７を参照すると、実験例１で使用した実施例１−１の対面型バイオセンサーと同様に、実施例１−２の平面型バイオセンサーも、測定された電流がグルコース濃度と共に徐々に増加するという点で良好な直線性を呈した。実施例１−２による平面型バイオセンサーを使用して測定した電流の傾きは、作用電極の単位面積当り３５．４ｎＡ／ｍｍ２／（ｍｇ／ｄＬ）であったことにより、グルコースとの極めて速い反応速度を呈する。
【００９２】
したがって、平面型バイオセンサーに適用した本発明による酸化還元試薬組成物は極めて迅速にグルコースと反応するので、該組成物は、血中のグルコースを検出するためのバイオセンサーの作製に極めて有用である。
【００９３】
＜実験例３＞実施例２−１から６−１による対面型バイオセンサーを使用する、グルコース標準溶液での電流測定
図２のチオニン誘導体でコーティングされた実施例２−１から６−１の対面型バイオセンサーを使用して、また実施例１−１の対面型バイオセンサー（１０ｍＭのチオニン）を使用して、実験例１で説明したのと同様に、グルコース標準溶液で電流を測定した。
【００９４】
具体的には、チオニンは、実施例１の条件で試薬組成物に最大１０ｍＭまで沈殿物を生じることなく溶解する。ところが、実施例２に使用される、親水基（−ＯＨ）を５つ有する３−アミノ−７−（２，３，４，５，６−ペンタヒドロキシヘキサンアミド）−５−フェノチアジニウム（「チオニン誘導体ａ」）は、沈殿物を生じることなくおよそ５０ｍＭまで溶解することができる。故に、実施例１−１および実施例３−１から６−１の対面型バイオセンサーは１０ｍＭのチオニンまたはその誘導体（「チオニン誘導体ｂからｅ」）を含有し、実施例２−１の対面型バイオセンサーは５０ｍＭのチオニン誘導体ａを使用した。
【００９５】
図８は、実施例２−１の対面型バイオセンサーを使用して、幾つかのグルコース濃度の試料で測定された電流を示すグラフである。
【００９６】
図９は、実施例１−１（１０ｍＭチオニン）および実施例３−１から６−１による対面バイオセンサー（ｃｏｎｖｅｒｓｅ  ｂｉｏｓｅｎｓｏｒ）を使用して、幾つかのグルコース濃度の試料で測定された電流を示すグラフである。
【００９７】
図８および９を参照すると、実施例２−１によるチオニン誘導体を含有する対面型バイオセンサーは、作用電極の単位面積当り３１．５ｎＡ／ｍｍ２／（ｍｇ／ｄＬ）の電流の傾きを示したことにより、グルコースとの反応速度が速いことが示される。実施例２−１の対面型バイオセンサーによる電流は、実施例３−１から６−１によるチオニン誘導体ｂからｅを含有する対面型バイオセンサーのものよりも、顕著に急激な傾きを示した。
【００９８】
したがって、対面型バイオセンサーに適用した本発明による酸化還元試薬組成物は極めて迅速にグルコースと反応するので、該組成物は、血中のグルコースを検出するためのバイオセンサーの作製に極めて有用である。
【００９９】
＜実験例４＞電子伝達メディエーターの選択に応じた、妨害物質からの影響の評価
臨床検査標準協会（ＣＬＳＩ）によって列挙される物質の中で、アセトアミノフェン、アスコルビン酸、ビリルビン、ドーパミン、尿酸およびゲンチシン酸などの、激しい妨害物質からの妨害の度合いを調査するために、実施例１−１の対面型バイオセンサー（８ｍＭのチオニン）および比較例２−１の対面型バイオセンサーを使用して、以下の試験を実施した。
【０１００】
具体的には、８０ｍｇ／ｄＬのグルコース試料で電流を測定した。次に、アセトアミノフェン（２０ｍｇ／ｄＬ）、アスコルビン酸（２０ｍｇ／ｄＬ）、ビリルビン（４０ｍｇ／ｄＬ）、ドーパミン（２．５ｍｇ／ｄＬ）、尿酸（２０ｍｇ／ｄＬ）およびゲンチシン酸（５０ｍｇ／ｄＬ）を丁寧に（ｒｅｓｐｅｃｔｆｕｌｌｙ）混ぜた試料で、電流を測定した。次いで、インターフェラントを混ぜる前後の間の電流の差異をグルコース値に変換し、その結果を以下の通りに表にする。
【０１０１】
【表１】
0005947901.tif 000002
【０１０２】
表１に示す通り、実施例１−１の場合、すべてのインターフェラントからの影響は、比較例２−１と比較して有意に低かった。
【０１０３】
したがって、本発明による酸化還元試薬組成物は、妨害物質にほとんど影響を受けないので、該組成物は、血中のグルコースを検出するためのバイオセンサーの作製に極めて有用である。
【０１０４】
前述の実施形態および利点は例示的なものに過ぎず、本発明を限定するものと解釈されるべきではない。本教示は、容易に他の種類の装置に適用することができる。また、本発明の概念の例示的な実施形態の記述は説明を意図しており、特許請求の範囲を限定することを意図するものではなく、当業者には、多くの代替、改変、および変形が明らかであろう。
【産業上の利用可能性】
【０１０５】
本発明によれば、金属含有錯体およびチオニンまたはその誘導体を電子伝達メディエーターとして含む酸化還元試薬は、酸化還元酵素−チオニン（またはその誘導体）−金属含有錯体の間の反応速度を上げることによってグルコース感度を改善し、また高湿度条件および妨害物質から影響をほとんど受けないので、血糖測定用の電気化学バイオセンサーを作製するのに望ましいものとなる。
【図１】
0005947901.tif 000003
【図２】
0005947901.tif 000004
【図３】
0005947901.tif 000005
【図４】
0005947901.tif 000006
【図５】
0005947901.tif 000007
【図６】
0005947901.tif 000008
【図７】
0005947901.tif 000009
【図８】
0005947901.tif 000010
【図９】
0005947901.tif 000011